(57)【要約】【課題】便器用床フランジの円筒部を下水管に内挿着する便器用床フランジと下水管との接続構造において、便器用床フランジの円筒部の内壁から下水管への水滴の落下を防止し、耳障りな音の発生を防ぐ手段を提供するものである。【解決手段】便器用床フランジ１の円筒部２を下水管３に内挿着する便器用床フランジ１と下水管３との接続構造において、該円筒部の内壁４から下水管の内壁５に向けて水滴６の排水路となる開口部７を設ける。また、便器用床フランジ１の円筒部２は、上記便器用床フランジ１の円筒部２に設けられた開口部７の外周面８に、円筒部２の下端まで延設する隙間部９を設ける。【選択図】      図１
2004150049.tif 000002
【特許請求の範囲】
【請求項１】
便器用床フランジの円筒部を下水管に内挿着する便器用床フランジと下水管との接続構造において、該円筒部の内壁から下水管の内壁に向けて水滴の排水路となる開口部を設けたことを特徴とする便器用床フランジと下水管との接続構造。
【請求項２】
上記便器用床フランジの円筒部に設けられた開口部の外周面に、円筒部の下端まで延設する隙間部を形成してなる請求項１に記載の便器用床フランジと下水管との接続構造。
【請求項３】
上記便器用床フランジの円筒部に設けられた開口部の開口面の上下の少なくとも一方に、該円筒部外部に向かって下り勾配となる傾斜面を形成してなる請求項１又は請求項２に記載の便器用床フランジと下水管との接続構造。
【請求項４】
上記便器用床フランジの円筒部に設けられた開口部が、円筒部下方の上段と下段に複数個形成しており、上段の開口部がない部分の下方に下段の開口部が位置してなる請求項１乃至請求項３のいづれか１項に記載の便器用床フランジと下水管との接続構造。
【発明の詳細な説明】
【０００１】
【発明の属する技術分野】
本発明は、便器用床フランジと下水管との接続構造に関する。
【０００２】
【従来の技術】
図５に、従来の便器用床フランジの一形態を示す。従来の便器用床フランジ４１は、図６に示すように、便器用床フランジ４１の円筒部４２を下水管４６に挿入接着し、便器４５と便器用床フランジ４１はゴムパッキン４７等を用いて、密封するものが従来から考案されている。（例えば、特許文献１参照）
【０００３】
【特許文献１】
特開２０００−２７２７１号公報（第６頁、図５）
【０００４】
【発明が解決しようとする課題】
しかし、このような便器用床フランジを使用した場合、図７に示すように、便器用床フランジ４１の円筒部４２の内壁４４には排水通路であるために水滴４８が付着することがある。この水滴４８は便器用床フランジ４１の円筒部４２の内壁４４を下方に向かって流れていき、下水管４６に落下することになる。
【０００５】
このとき、便器用床フランジ４１の円筒部４２の先端４９と下水管４６の内壁４３には段差があるため、水滴４８が便器用床フランジ４１の円筒部４２から下水管４６の内壁４３に滑らかに流れ伝わらずに、便器用床フランジ４１の円筒部４２の先端４９から下水管４６に向けて滴下することになる。このときの水滴４８の滴下音は深夜などでは特に耳障りに響くことがある。
【０００６】
本発明は、下水管に挿入接着する便器用床フランジで、上記の水滴の落下音を防止し、耳障りな音の発生を防ぐ手段を提供するものである。
【０００７】
【課題を解決するための手段】
本発明の請求項１記載の便器用床フランジと下水管との接続構造は、便器用床フランジの円筒部を下水管に内挿着する便器用床フランジと下水管との接続構造において、該円筒部の内壁から下水管の内壁に向けて水滴の排水路となる開口部を設ける。
【０００８】
このものにあっては、便器用床フランジの円筒部の内壁を伝わった水滴は上記開口部の上面から開口部内に流入し、開口部の下面から下水管の内壁を伝わって流れていくことになり、開口部を水滴の排水路とすることができる。
【０００９】
本発明の請求項２記載の便器用床フランジと下水管との接続構造は、請求項１に記載の便器用床フランジの円筒部に設けられた開口部の外周面に、円筒部の下端まで延設する隙間部を形成してなる。
【００１０】
このものにあっては、便器用床フランジの円筒部の開口部の上面から開口部内に流入した水滴を、開口部の下面から下水管の内壁に伝わせて流し出すことができる。
【００１１】
本発明の請求項３記載の便器用床フランジと下水管との接続構造は、請求項１又は請求項２に記載の便器用床フランジの円筒部に設けられた開口部が、開口面の上下の少なくとも一方に、該円筒部外部に向かって下り勾配となる傾斜面を形成してなる。
【００１２】
このものにあっては、水滴がより確実に円筒部の外壁方向に流れるように、することができる。
【００１３】
本発明の請求項４記載の便器用床フランジと下水管との接続構造は、請求項１乃至請求項３のいづれか１項に記載の便器用床フランジの円筒部に設けられた開口部が、円筒部下方の上段と下段に複数個形成しており、上段の開口部がない部分の下方に下段の開口部が位置してなる。
【００１４】
このものにあっては、上段の開口部の無い部分を流れてきた水滴は下段の開口部から下水管内壁に伝わっていき、円筒部分の強度を保ったまま、下水管内への水滴の落下を効果的に防ぐことができる。
【００１５】
【発明の実施の形態】
本発明の実施形態に係る便器用床フランジと下水管との接続構造は、  図１に示すように、便器用床フランジ１の円筒部２を下水管３に内挿着する便器用床フランジ１と下水管３との接続構造において、該円筒部の内壁４から下水管の内壁５に向けて水滴６の排水路となる開口部７を設けたことを特徴とする。
【００１６】
また、便器用床フランジ１の円筒部２は、図２に示すように、上記便器用床フランジ１の円筒部２に設けられた開口部７の外周面８に、円筒部２の下端まで延設する隙間部９を形成してなる。
【００１７】
本発明の実施形態に係る便器用床フランジと下水管との接続構造は、円筒部の内壁４から外壁に繋がる開口部７を有している。該円筒部２は、開口部７のない箇所は下水管の内壁５に接着でき、開口部７を有する隙間部９の部分は下水管３の内径より外径を小さく形成している。
【００１８】
便器用床フランジ１の円筒部の内壁４を伝わった水滴６は上記開口部７の上面から開口部内に流入して滴下し、開口部７の下面から下水管の内壁５を伝わって流れていくことになる。
【００１９】
このとき水滴６がより確実に円筒部２の外壁方向に流れるように、図３に示すように、上記便器用床フランジ１の円筒部２に設けられた開口部７の開口面の上下の少なくとも一方に、該円筒部２外部に向かって下り勾配となる傾斜面１０を形成してなる。
【００２０】
開口部７の上面、下面をそれぞれ外壁に向かって下り勾配にして水滴の流れを確実に外部に流れ出るようにすることもできる。
【００２１】
また、開口部７の無い部分に流れてきた水滴６が、下水管の内壁５を伝うことなく下水管３内に水滴６が落下してしまう場合がある。開口部７の開口部分を横に大きく設けると水滴６が開口部がない部分１３を通る可能性は小さくなるが、円筒部２の強度が不足する場合がある。
【００２２】
そこで、図４に示すように、上記便器用床フランジ１の円筒部２に設けられた開口部７が、円筒部２下方の上段と下段に複数個形成しており、上段の開口部がない部分１３の下方に下段の開口部１２が位置してなるようにする。
【００２３】
開口部がない部分１３の下流方向に下段の開口部１２を設けるように、便器用床フランジ１の円筒部２の開口部７が、円筒部２下方の上段と下段に複数個形成されており、上段の開口部がない部分の下方に下段の開口部１２が位置するように形成されていれば、上段の開口部１１の開口がない部分１３を流れてきた水滴６は下段の開口部１２から下水管の内壁５に伝わっていき、円筒部分の強度を保ったまま、下水管３内への水滴６の落下を効果的に防ぐことができる。
【００２４】
【発明の効果】
以上の説明により、本発明の便器用床フランジと下水管との接続構造によると、下水管内への水滴の滴下を確実に防止することができ、不快な滴下音の発生を防ぐことができる。
【図面の簡単な説明】
【図１】本発明の実施形態に係る便器用床フランジと下水管との接続構造を示し、（ａ）図は接続状態の要部平面図で、（ｂ）図は（ａ）図のＡ−Ａ線に沿う要部断面図である。
【図２】本発明の実施形態に係る便器用床フランジと下水管との接続構造の開口部と隙間部を示す要部断面図である。
【図３】本発明の実施形態に係る便器用床フランジと下水管との接続構造の開口部の傾斜面を示す要部断面図である。
【図４】本発明の実施形態に係る便器用床フランジと下水管との接続構造を示し、（ａ）図は上下段の開口部を示す要部平面図で、（ｂ）図は（ａ）図のＢ−Ｂ線に沿う要部断面図である。
【図５】従来の便器用床フランジを示し、（ａ）図は平面図で、（ｂ）図は（ａ）図のＣ−Ｃ線に沿う部分断面図である。
【図６】従来の便器用床フランジの取付状態を示す要部断面図である。
【図７】従来の便器用床フランジでの水滴の落下状態を示す要部断面図である。
【符号の説明】
１      便器用床フランジ
２      円筒部
３      下水管
４      円筒部の内壁
５      下水管の内壁
６      水滴
７      開口部
８            外周面
９            隙間部
１０        傾斜面
１１        上段の開口部
１２        下段の開口部
１３        開口部がない部分
【図１】
2004150049.tif 000003
【図２】
2004150049.tif 000004
【図３】
2004150049.tif 000005
【図４】
2004150049.tif 000006
【図５】
2004150049.tif 000007
【図６】
2004150049.tif 000008
【図７】
2004150049.tif 000009